(57)【要約】  サーキュレータデバイス（２００ａ）が提供される。サーキュレータデバイスは、２つの無磁石サーキュレータ（２２０ａ、２２０ｂ）を備える。各無磁石サーキュレータは、強制時間変動を有する。サーキュレータデバイスは、ポート（２４０ａ、２４０ｂ、２４０ｃ）を備える。２つのサーキュレータは、相互に逆位相時間変動を有するようにサーキュレータデバイス中で構成される。２つのサーキュレータの各々は、ポートのすべてに結合される。そのようなサーキュレータデバイスを備えるアイソレータデバイスも、提供される。そのようなサーキュレータデバイスまたはアイソレータデバイスを備える無線トランシーバデバイスも、提供される。【選択図】図２ａ
2019515542.tif 000002
【特許請求の範囲】
【請求項１】
サーキュレータデバイス（２００ａ、２００ｂ、２００ｃ、２００ｄ、２００ｅ）であって、
各々が強制時間変動を有する、２つの無磁石サーキュレータ（２２０ａ、２２０ｂ）と、
ポート（２４０ａ、２４０ｂ、２４０ｃ、２４０ｄ）と
を備え、
前記２つのサーキュレータ（２２０ａ、２２０ｂ）が、相互に逆位相時間変動を有するように前記サーキュレータデバイス（２００ａ、２００ｂ、２００ｃ、２００ｄ、２００ｅ）中で構成され、前記２つのサーキュレータ（２２０ａ、２２０ｂ）の各々が、前記ポート（２４０ａ、２４０ｂ、２４０ｃ、２４０ｄ）のすべてに結合された、
サーキュレータデバイス（２００ａ、２００ｂ、２００ｃ、２００ｄ、２００ｅ）。
【請求項２】
前記２つのサーキュレータ（２２０ａ、２２０ｂ）の各々が、位相進行の角度方向で多相信号によって変調され、前記２つのサーキュレータ（２２０ａ、２２０ｂ）は、同じ角度方向であるが１８０度位相ずれを有する、請求項１に記載のサーキュレータデバイス（２００ａ、２００ｂ、２００ｃ、２００ｄ、２００ｅ）。
【請求項３】
前記多相信号が多相正弦波信号である、請求項２に記載のサーキュレータデバイス（２００ａ、２００ｂ、２００ｃ、２００ｄ、２００ｅ）。
【請求項４】
前記多相信号が３相信号である、請求項２に記載のサーキュレータデバイス（２００ａ、２００ｂ、２００ｃ、２００ｄ、２００ｅ）。
【請求項５】
前記２つのサーキュレータ（２２０ａ、２２０ｂ）が、１つの同じ信号を相互に反対の位相で受信するように構成された、請求項１に記載のサーキュレータデバイス（２００ａ、２００ｂ、２００ｃ、２００ｄ、２００ｅ）。
【請求項６】
前記２つのサーキュレータ（２２０ａ、２２０ｂ）が、１つの同じ信号を同じ位相で受信するように構成された、請求項１に記載のサーキュレータデバイス（２００ａ、２００ｂ、２００ｃ、２００ｄ、２００ｅ）。
【請求項７】
トランスフォーマバラン（２３０ａ、２３０ｂ、２３０ｃ、２３０ｄ）をさらに備え、各トランスフォーマバラン（２３０ａ、２３０ｂ、２３０ｃ、２３０ｄ）が、前記ポート（２４０ａ、２４０ｂ、２４０ｃ、２４０ｄ）のうちの１つを前記２つのサーキュレータ（２２０ａ、２２０ｂ）の両方に結合するように構成された、請求項１に記載のサーキュレータデバイス（２００ａ、２００ｂ、２００ｃ、２００ｄ、２００ｅ）。
【請求項８】
前記トランスフォーマバラン（２３０ａ、２３０ｂ、２３０ｃ、２３０ｄ）のうちの１つ（２３０ａ）は、自身のポート（２４０ａ）から受信された信号（Ｓｉｎ）を第１の信号（Ｓ１）と第２の信号（Ｓ２）とに分割するように構成され、前記第１の信号（Ｓ１）と前記第２の信号（Ｓ２）とは、同じ大きさを有し、位相が０度または１８０度だけ相互にずれている、請求項７に記載のサーキュレータデバイス（２００ａ、２００ｂ、２００ｃ、２００ｄ、２００ｅ）。
【請求項９】
前記２つのサーキュレータ（２２０ａ、２２０ｂ）のうちの一方（２２０ａ）は、前記第１の信号（Ｓ１）を伝搬するように構成され、前記２つのサーキュレータ（２２０ａ、２２０ｂ）のうちの他方（２２０ｂ）は、前記第２の信号（Ｓ２）を伝搬するように構成され、前記第１の信号（Ｓ１）および前記第２の信号（Ｓ２）は、前記第１の信号（Ｓ１）と前記第２の信号（Ｓ２）とが、位相が０度または１８０度だけ相互にずれている状態を維持するように、同じ角度方向で前記２つのサーキュレータ（２２０ａ、２２０ｂ）を通して伝搬される、請求項８に記載のサーキュレータデバイス（２００ａ、２００ｂ、２００ｃ、２００ｄ、２００ｅ）。
【請求項１０】
前記トランスフォーマバラン（２３０ａ、２３０ｂ、２３０ｃ、２３０ｄ）のうちの別の１つ（２３０ｂ）は、前記２つのサーキュレータ（２２０ａ、２２０ｂ）のうちの前記一方（２２０ａ）から受信された前記第１の信号（Ｓ１）を、前記２つのサーキュレータ（２２０ａ、２２０ｂ）のうちの前記他方（２２０ｂ）から受信された前記第２の信号（Ｓ２）と合成して、合成信号（Ｓｏｕｔ）にすることと、前記合成信号（Ｓｏｕｔ）を自身のポート（２４０ｂ）に供給することとを行うように構成された、請求項９に記載のサーキュレータデバイス（２００ａ、２００ｂ、２００ｃ、２００ｄ、２００ｅ）。
【請求項１１】
前記２つのサーキュレータ（２２０ａ、２２０ｂ）は、前記２つのサーキュレータ（２２０ａ、２２０ｂ）に同じ入力信号が入力されると、前記２つのサーキュレータ（２２０ａ、２２０ｂ）から同じ出力信号が出力されるように構成された、請求項１に記載のサーキュレータデバイス（２００ａ、２００ｂ、２００ｃ、２００ｄ、２００ｅ）。
【請求項１２】
前記２つのサーキュレータ（２２０ａ、２２０ｂ）のうちの少なくとも１つの電子的構成要素が、スタートポロジーで構成された、請求項１に記載のサーキュレータデバイス（２００ａ、２００ｂ、２００ｃ、２００ｄ、２００ｅ）。
【請求項１３】
前記２つのサーキュレータ（２２０ａ、２２０ｂ）のうちの少なくとも１つの電子的構成要素が、リングトポロジーで構成された、請求項１に記載のサーキュレータデバイス（２００ａ、２００ｂ、２００ｃ、２００ｄ、２００ｅ）。
【請求項１４】
前記２つのサーキュレータ（２２０ａ、２２０ｂ）の各々が、アクティブ電子的構成要素を備える、請求項１に記載のサーキュレータデバイス（２００ａ、２００ｂ、２００ｃ、２００ｄ、２００ｅ）。
【請求項１５】
前記２つのサーキュレータ（２２０ａ、２２０ｂ）の各々が、可変容量ダイオードを備える、請求項１に記載のサーキュレータデバイス（２００ａ、２００ｂ、２００ｃ、２００ｄ、２００ｅ）。
【請求項１６】
前記２つのサーキュレータ（２２０ａ、２２０ｂ）の各々が、微小電子機械システム（ＭＥＭＳ）バラクタを備える、請求項１に記載のサーキュレータデバイス（２００ａ、２００ｂ、２００ｃ、２００ｄ、２００ｅ）。
【請求項１７】
前記２つのサーキュレータ（２２０ａ、２２０ｂ）の各々が、スイッチを備える、請求項１に記載のサーキュレータデバイス（２００ａ、２００ｂ、２００ｃ、２００ｄ、２００ｅ）。
【請求項１８】
前記スイッチが、相補型金属酸化物半導体（ＣＭＯＳ）トランジスタから作られる、請求項１７に記載のサーキュレータデバイス（２００ａ、２００ｂ、２００ｃ、２００ｄ、２００ｅ）。
【請求項１９】
前記２つのサーキュレータ（２２０ａ、２２０ｂ）が、サーキュレータモジュール（２１０ａ、２１０ｂ、２１０ｃ、２１０ｄ）を形成し、前記サーキュレータデバイス（２００ａ、２００ｂ、２００ｃ、２００ｄ、２００ｅ）が、少なくとも２つのデイジーチェーン接続されたサーキュレータモジュール（２１０ａ、２１０ｂ、２１０ｃ、２１０ｄ）を備える、請求項１に記載のサーキュレータデバイス（２００ａ、２００ｂ、２００ｃ、２００ｄ、２００ｅ）。
【請求項２０】
請求項１から１９のいずれか一項に記載のサーキュレータデバイス（２００ａ、２００ｂ、２００ｃ、２００ｄ、２００ｅ）を備える、アイソレータデバイス（４００ａ、４００ｂ）であって、前記２つのサーキュレータ（２２０ａ、２２０ｂ）が、サーキュレータモジュール（２１０ａ、２１０ｂ、２１０ｃ、２１０ｄ）を形成し、前記サーキュレータデバイスの前記ポートのうちの１つが、整合された終端インピーダンス（４１０）介して接地される、アイソレータデバイス（４００ａ、４００ｂ）。
【請求項２１】
２００ａ、２００ｂ、２００ｃ、２００ｄ、２００ｅが、少なくとも２つのカスケード接続されたサーキュレータモジュール（２１０ａ、２１０ｂ、２１０ｃ、２１０ｄ）を備える、請求項２０に記載のアイソレータデバイス（４００ａ、４００ｂ）。
【請求項２２】
請求項１から１９のいずれか一項に記載の少なくとも１つのサーキュレータデバイス（２００ａ、２００ｂ、２００ｃ、２００ｄ、２００ｅ）あるいは請求項２０または２１に記載のアイソレータデバイス（４００ａ、４００ｂ）を備える、無線トランシーバデバイス（１００ａ、１００ｂ）。
【発明の詳細な説明】
【技術分野】
【０００１】
本明細書で提示される実施形態は、２つの無磁石サーキュレータ（ｍａｇｎｅｔ−ｆｒｅｅ  ｃｉｒｃｕｌａｔｏｒ）を備えるサーキュレータデバイスに関する。
【背景技術】
【０００２】
大まかに言えば、サーキュレータは、非相反性（ｎｏｎ−ｒｅｃｉｐｒｏｃｉｔｙ）の特性を有するマイクロ波デバイスである。これは、ある（順）方向におけるサーキュレータの送信が、反対の（逆）方向におけるサーキュレータの送信よりもはるかに大きいことを意味する。より専門的な用語では、順方向送信損失は挿入損失（ｉｎｓｅｒｔｉｏｎ  ｌｏｓｓ）と呼ばれるが、逆方向送信損失はアイソレーション（ｉｓｏｌａｔｉｏｎ）と呼ばれる。したがって、サーキュレータは、それの挿入損失がそれのアイソレーションよりもはるかに小さいという固有特性を有する。
【０００３】
たいていのサーキュレータは、（簡潔のために、ポート１、ポート２およびポート３と示された）３つのポートを有する。そのようなサーキュレータでは、順方向送信が、順次、ポート１、ポート２、およびポート３を介して循環的に横断する場合、逆方向送信は、順次、ポート３、ポート２、およびポート１を介して循環的に横断することになり、その逆も同様である。
【０００４】
サーキュレータは、無線基地局など、無線周波数（ＲＦ）およびマイクロ波トランシーバにおいて広く使用される。たとえば、（２つのみのポートを有するサーキュレータによって表される）アイソレータが、送信機をアンテナ不整合から保護するように送信機とアンテナとの間に構成され得る。そのような設定では、送信機からの順方向電力は、低損失でアンテナに渡されるが、（起こり得るアンテナインピーダンス不整合による）反射電力は、送信機に影響を及ぼさないように、大きく減衰される。別の一般的な例は、アンテナ送信および受信複信のために、アイソレータの代わりに３ポートサーキュレータを使用することである。この場合、送信機信号は、アンテナに渡されるだけであり、アンテナからの受信された信号は受信機に渡されるだけである。逆送信は、サーキュレータによって大幅に抑制される。
【０００５】
多数の有用なシナリオにもかかわらず、サーキュレータ動作にとって本質的な非相反性は、現在、２つのタイプの材料、すなわち、フェリ磁性体とプラズマとにおいてのみ見られ得る。実際のサーキュレータの大多数は、フェリ磁性材料から作られる。しかしながら、代替的に、バイアストランジスタ（ｂｉａｓｅｄ  ｔｒａｎｓｉｓｔｏｒ）から作られた単方向増幅器など、アクティブ電子デバイスからサーキュレータが作られ得る。実際には、トランジスタの不良な雑音、線形性、電力消費および電力処理能力のために、バイアストランジスタは、サーキュレータを作るためにめったに使用されない。
【０００６】
（バラクタとしても知られている）可変容量ダイオードから無磁石サーキュレータを合成することが、「Ｍａｇｎｅｔｌｅｓｓ  Ｍｉｃｒｏｗａｖｅ  Ｃｉｒｃｕｌａｔｏｒｓ  Ｂａｓｅｄ  ｏｎ  Ｓｐａｔｉｏｔｅｍｐｏｒａｌｌｙ  Ｍｏｄｕｌａｔｅｄ  Ｒｉｎｇｓ  ｏｆ  Ｃｏｕｐｌｅｄ  Ｒｅｓｏｎａｔｏｒｓ」、Ｎ．Ａ．Ｅｓｔｅｐ、Ｄ．Ｌ．Ｓｏｕｎａｓ、およびＡ．Ａｌｕ、ＩＥＥＥ  Ｔｒａｎｓａｃｔｉｏｎｓ  ｏｎ  Ｍｉｃｒｏｗａｖｅ  Ｔｈｅｏｒｙ  ａｎｄ  Ｔｅｃｈｎｉｑｕｅｓ、第６４巻、第２、５０２〜５１８ページ、２０１６年２月において提案された。可変容量ダイオードは、アクティブ電子デバイスのタイプである。そのような設計では、バラクタから循環共振器が作られ、インダクタまたは送信線路と共振し得る。バラクタは、循環位相進行で多相（ｐｏｌｙ−ｐｈａｓｅ）正弦波信号によって変調される。したがって、時計回り方向と逆時計回り方向の両方での、ただし異なる伝搬速度での波伝搬を可能にするために、強制時間変動（ｆｏｒｃｅｄ  ｔｉｍｅ−ｖａｒｙｉｎｇ）デバイスが作られる。以下で使用される、強制時間変動（ｆｏｒｃｅｄ  ｔｉｍｅ  ｖａｒｉａｎｃｅ）という用語は、デバイスの入力出力関係が時間とともに変動することを強制されるようなデバイスの挙動として規定される。そのようなものとして作られたサーキュレータは、極めてコンパクトおよび低コストであり、さらに、シリコン上の相補型金属酸化物半導体（ＣＭＯＳ）など、モノリシック集積回路（ＩＣ）上に容易に実装可能であり得る。
【０００７】
ＣＭＯＳトランジスタスイッチから合成された別の無磁石サーキュレータが、２０１６年４月１５日にオンラインで発行された、「Ｍａｇｎｅｔｉｃ−ｆｒｅｅ  ｎｏｎ−ｒｅｃｉｐｒｏｃｉｔｙ  ｂａｓｅｄ  ｏｎ  ｓｔａｇｇｅｒｅｄ  ｃｏｍｍｕｔａｔｉｏｎ」、Ｎｅｇａｒ  ＲｅｉｓｋａｒｉｍｉａｎおよびＨａｒｉｓｈ  Ｋｒｉｓｈｎａｓｗａｍｙ、Ｎａｔｕｒｅ  Ｃｏｍｍｕｎｉｃａｔｉｏｎｓにおいて提案された。そのような設計では、トランジスタスイッチは、非相反性を達成するために、周期的に、ただしスタガリングコミュテーション（ｓｔａｇｇｅｒｉｎｇ  ｃｏｍｍｕｔａｔｉｏｎ）のシーケンスで、切り替えられる。トランジスタスイッチは、直流（ＤＣ）バイアスを必要とせず、したがって、トランジスタスイッチは、しばしば、「パッシブスイッチ」と呼ばれる。しかし、トランジスタスイッチは、アクティブ電子デバイスであると見なされる。さらに、周期的に駆動されるスイッチはまた、強制時間変動を有する。
【０００８】
フェリ磁性材料から作られた従来のサーキュレータは、半導体ＩＣの集積に適合しない。さらに、従来のサーキュレータは、高精度の機械的加工および組立を必要とする。その結果、フェリ磁性サーキュレータは、かさばり、費用がかかり、したがって、アンテナアレイなどの大容量、高集積適用例に好ましくない。
【０００９】
ＤＣバイアストランジスタから作られたサーキュレータは、ＩＣ適合性があり得る。しかし、ＤＣバイアストランジスタは、電力を消費するだけでなく、雑音と非線形高調波および相互変調積との両方を発生させる。さらに、高電力適用例では、トランジスタが、電力処理能力および効率を制限する。
【００１０】
上記で説明された無磁石サーキュレータは、非ゼロ周波数変調を必要とする。したがって、それは、強制時間変動デバイスである。強制時間変動デバイスが完全に線形である場合でも、強制時間変動デバイスの１つの不可避の特性は、相互変調積の生成である。より詳細には、上記で説明された無磁石サーキュレータは、ＲＦ信号をそれのローカル変調信号と不可避的に混合し、事実上、ＲＦ電力を他の周波数に分散する。この電力分散挙動は、このタイプのサーキュレータについて達成可能な挿入損失を限定する。
【００１１】
したがって、改善されたサーキュレータデバイスが依然として必要である。
【発明の概要】
【００１２】
本明細書の実施形態の目的は、改善されたサーキュレータデバイスを提供することである。
【００１３】
第１の態様による、サーキュレータデバイスが提供される。サーキュレータデバイスは、２つの無磁石サーキュレータを備える。各無磁石サーキュレータは、強制時間変動を有する。サーキュレータデバイスは、ポートを備える。２つのサーキュレータは、相互に逆位相（ａｎｔｉ−ｐｈａｓｅ）時間変動を有するようにサーキュレータデバイス中で構成される。２つのサーキュレータの各々は、ポートのすべてに結合される。
【００１４】
有利には、これは、背景技術セクションで説明されたサーキュレータと比較して改善されたサーキュレータデバイスを提供する。
【００１５】
上記で説明された無磁石サーキュレータの不良な挿入損失は、本明細書で提案されるサーキュレータデバイスによって、大幅に改善され得る。
【００１６】
上記で説明された無磁石サーキュレータと比較して、このタイプの強制時間変動サーキュレータにおける主要損失機構、すなわち、ＲＦから相互変調周波数への電力の転換が消去されるので、本明細書で提案されるサーキュレータデバイスによって大幅により低い挿入損失が達成され得る。
【００１７】
従来のサーキュレータ、すなわち、フェリ磁性材料から作られたサーキュレータと比較して、本明細書で提案されるサーキュレータデバイスは、一般的な半導体材料（たとえばシリコン）上に作られ得る。したがって、ＩＣ技術（たとえばＣＭＯＳ）との適合性が、コンパクトおよび低コストの実装形態を可能にする。
【００１８】
さらに、フェリ磁性サーキュレータと比較して、本明細書で提案されるサーキュレータデバイスの動作周波数は、広い周波数範囲内で電気的に同調させられ得る。この同調性は、低減された非再帰的エンジニアリングコストおよび規模の経済などの好ましい含意をもつ、再設定可能な無線ハードウェアを可能にする。
【００１９】
第２の態様による、アイソレータデバイスが提示される。アイソレータデバイスは、第１の態様によるサーキュレータデバイスを備える。２つのサーキュレータは、サーキュレータモジュールを形成する。サーキュレータデバイスのポートのうちの１つが、整合された終端インピーダンスを介して終端される。
【００２０】
第３の態様による、無線トランシーバデバイスが提示される。無線トランシーバデバイスは、第１の態様による少なくとも１つのサーキュレータデバイスまたは第２の態様によるアイソレータデバイスを備える。
【００２１】
第１、第２および第３の態様の任意の特徴は、適切であればいかなる場合も、任意の他の態様に適用され得ることに留意されたい。同様に、第１の態様の任意の利点は、第２および／または第３の態様にそれぞれ等しく適用され得、その逆も同様である。同封の実施形態の他の目標、特徴、および利点は、以下の詳細な開示から、添付の従属請求項から、ならびに図面から明らかとなるであろう。
【００２２】
概して、特許請求の範囲において使用されるすべての用語は、本明細書で別段に明示的に規定されない限り、本技術分野におけるその通例の意味に従って解釈されるべきである。「１つの（ａ／ａｎ）／その（ｔｈｅ）要素、装置、構成要素、手段、ステップなど」へのすべての言及は、別段に明示的に述べられていない限り、その要素、装置、構成要素、手段、ステップなどの少なくとも１つの事例を指すようにオープンに解釈されるべきである。本明細書で開示されるいずれの方法のステップも、明示的に述べられていない限り、開示される厳密な順序で実施される必要はない。
【００２３】
添付の図面を参照しながら、次に、例として、本発明の概念が説明される。
【図面の簡単な説明】
【００２４】
【図１ａ】実施形態による無線トランシーバデバイスを例示する概略図である。
【図１ｂ】実施形態による無線トランシーバデバイスを例示する概略図である。
【図２ａ】実施形態によるサーキュレータデバイスの概略図である。
【図２ｂ】実施形態によるサーキュレータデバイスの概略図である。
【図２ｃ】実施形態によるサーキュレータデバイスの概略図である。
【図２ｄ】実施形態によるサーキュレータデバイスの概略図である。
【図２ｅ】実施形態によるサーキュレータデバイスの概略図である。
【図３ａ】実施形態によるサーキュレータデバイスの回路トポロジーの概略図である。
【図３ｂ】実施形態によるサーキュレータデバイスの回路トポロジーの概略図である。
【図３ｃ】実施形態によるサーキュレータデバイスの回路トポロジーの概略図である。
【図４ａ】実施形態によるアイソレータデバイスの概略図である。
【図４ｂ】実施形態によるアイソレータデバイスの概略図である。
【図５ａ】実施形態によるシミュレーション結果を例示する図である。
【図５ｂ】実施形態によるシミュレーション結果を例示する図である。
【図５ｃ】実施形態によるシミュレーション結果を例示する図である。
【図６ａ】実施形態によるシミュレーション結果を例示する図である。
【図６ｂ】実施形態によるシミュレーション結果を例示する図である。
【図６ｃ】実施形態によるシミュレーション結果を例示する図である。
【発明を実施するための形態】
【００２５】
本発明の概念のいくつかの実施形態が示された添付の図面を参照しながら、次に、本発明の概念が以下でさらに十分に説明される。しかしながら、本発明の概念は、多くの異なる形態で具現化され得、本明細書に記載される実施形態に限定されるものとして解釈されるべきではなく、むしろ、これらの実施形態は、本開示が徹底的かつ完全であり、本発明の概念の範囲を当業者に十分に伝えるように、例として提供される。同じような番号は、説明全体にわたって同じような要素を指す。破線によって例示される任意のステップまたは特徴は、随意と見なされるべきである。
【００２６】
図１ａ〜図１ｂは、実施形態による無線トランシーバデバイス１００ａ、１００ｂを例示する概略図である。無線トランシーバデバイス１００ａ、１００ｂは、無線基地局、基地トランシーバ局、ノードＢ、またはエボルブドノードＢなど、無線アクセスネットワークノードであり得る。さらに、無線トランシーバデバイス１００ａ、１００ｂは、移動局、モバイルフォン、ハンドセット、ワイヤレスローカルループフォン、ユーザ機器（ＵＥ）、スマートフォン、ラップトップコンピュータ、タブレットコンピュータ、センサーデバイス、またはワイヤレスモデムデバイスなど、ポータブルワイヤレスデバイスであり得る。
【００２７】
特に図１ａを参照すると、無線トランシーバデバイス１００ａは、ベースバンド回路１１０と、（ＲＦまたはマイクロ波回路を備える）送信機回路１２０と、（ＲＦまたはマイクロ波回路を備える）受信機回路１４０と、サーキュレータデバイス２００ａ、２００ｂ、２００ｃ、２００ｄと、アンテナ１３０とを備える。サーキュレータデバイス２００ａ、２００ｂ、２００ｃ、２００ｄは、３つのポートを備える。上記で説明されたように、３ポートサーキュレータデバイス２００ａ、２００ｂ、２００ｃは、アンテナ送信および受信複信のために使用され得、ここで、送信機回路１２０によって供給された信号はアンテナ１３０に渡されるだけであり、アンテナ１３０からの受信された信号は受信機回路１４０に渡されるだけである。
【００２８】
特に図１ｂを参照すると、無線トランシーバデバイス１００ｂは、（ＲＦまたはマイクロ波回路を備える）送信機回路１２０と、（今度は、サーキュレータデバイスを備える）アイソレータデバイス４００ａ、４００ｂと、アンテナ１３０とを備える。アイソレータデバイス４００ａ、４００ｂは、２つのポートを備える。上記で説明されたように、アイソレータデバイス４００ａ、４００ｂは、送信機回路１２０からの順方向電力が、低損失でアンテナに渡されることを可能にするが、（起こり得るアンテナインピーダンス不整合による）反射電力が、送信機に影響を及ぼさないように、大きく減衰させられることを引き起こす。
【００２９】
背景技術セクションで説明された無磁石サーキュレータは、ローカル変調を必要とする強制時間変動デバイスである。そのようなサーキュレータが完全に線形である場合でも、そのサーキュレータの時間変動は、必然的に、着信ＲＦ信号をローカル変調信号と混合するので、ＲＦ電力の一部は相互変調周波数に転換される。このＲＦ電力転換は、このタイプの強制時間変動サーキュレータにおける挿入損失の１つの原因である。本明細書の開示されるサーキュレータデバイス２００ａ、２００ｂ、２００ｃ、２００ｄ、２００ｅの１つの目的は、これらの問題を緩和するか、または少なくとも低減することである。
【００３０】
今度は、サーキュレータデバイス２００ａ、２００ｂ、２００ｃ、２００ｄ、２００ｅおよびアイソレータデバイス４００ａ、４００ｂの態様が開示される。
【００３１】
図２ａ、図２ｂ、図２ｃ、図２ｄ、および図２ｅは、実施形態によるサーキュレータデバイス２００ａ、２００ｂ、２００ｃ、２００ｄ、２００ｅの概略図である。
【００３２】
サーキュレータデバイス２００ａ、２００ｂ、２００ｃ、２００ｄ、２００ｅは、２つの無磁石サーキュレータ２２０ａ、２２０ｂを備える。各サーキュレータ２２０ａ、２２０ｂは、強制時間変動を有する。
【００３３】
サーキュレータデバイス２００ａ、２００ｂ、２００ｃ、２００ｄ、２００ｅは、ポート２４０ａ、２４０ｂ、２４０ｃ、２４０ｄを備える。この点において、図２ａ、図２ｂのサーキュレータデバイス２００ａ、２００ｂは、３つのポート２４０ａ、２４０ｂ、２４０ｃを備える。図２ｃの実施形態では、サーキュレータデバイス２００ａ、２００ｂのポートのうちの１つは、短絡回路終端２５０を介して内部で接地され、したがって、２つのポート２４０ａ、２４０ｂのみを生じる。図２ｄのサーキュレータデバイス２００ｄは、４つのポート２４０ａ、２４０ｂ、２４０ｃ、２４０ｄを備える。
【００３４】
２つのサーキュレータ２２０ａ、２２０ｂは、相互に逆位相時間変動を有するようにサーキュレータデバイス２００ａ、２００ｂ、２００ｃ、２００ｄ中で構成される。言い換えれば、サーキュレータ２２０ａとサーキュレータ２２０ｂの両方が、同じ周期で、ただし反対位相で時間変動を周期的に強制される。慣習として、時間変動のフル周期は、位相が３６０度に分割され得る。したがって、２つの時間変動の位相が１８０度だけ異なる場合、それらは、１８０度位相ずれ（ｏｕｔ  ｏｆ  ｐｈａｓｅ）、逆位相、または反対位相として規定される。２つのサーキュレータ２２０ａ、２２０ｂの各々は、ポート２４０ａ、２４０ｂ、２４０ｃ、２４０ｄのすべてに結合される。すなわち、一例として、図２ａ、図２ｂでは、サーキュレータ２２０ａは、すべての３つのポート２４０ａ、２４０ｂ、２４０ｃに結合される、などである。
【００３５】
次に、サーキュレータデバイス２００ａ、２００ｂ、２００ｃ、２００ｄ、２００ｅのさらなる詳細に関係する実施形態が、開示される。
【００３６】
本明細書の開示されるサーキュレータデバイス２００ａ、２００ｂ、２００ｃ、２００ｄ、２００ｅは、すべてのポート２４０ａ、２４０ｂ、２４０ｃ、２４０ｄに対して平衡モード（ｂａｌａｎｃｅｄ  ｍｏｄｅ）で動作する２つの同等の無磁石サーキュレータ２２０ａ、２２０ｂを採用することができる。この点において、２つの同等のサーキュレータ２２０ａ、２２０ｂは、２つのサーキュレータ２２０ａ、２２０ｂに同じ入力信号が入力されることにより、２つのサーキュレータ２２０ａ、２２０ｂから同じ出力信号が出力されるように２つのサーキュレータ２２０ａ、２２０ｂが設定されるものとして規定され得る。この点において、平衡モードは、２つのサーキュレータ２２０ａ、２２０ｂが、１つの同じ信号を相互に反対位相で受信するように構成されるものとして規定され得る。したがって、図２ｂ、図２ｃ、および図２ｄの例示的な例では、信号Ｓ１と信号Ｓ２とは、相互に反対位相をもつ１つの同じ信号である。さらに、図２ａの例示的な例では、サーキュレータ２００ａ、２００ｂ出力に関する望ましくないＩＭ積が、反対位相のものであると仮定すると、信号Ｓ１と信号Ｓ２とは、同じ位相を有する。
【００３７】
さらに、２つのサーキュレータ２２０ａ、２２０ｂのための多相ローカル変調は、位相進行の同じ角度方向であるが１８０度位相ずれを有することができ、したがって、サーキュレータ２２０ａとサーキュレータ２２０ｂとが、相互に逆位相時間変動に強制される。したがって、一実施形態によれば、２つのサーキュレータ２２０ａ、２２０ｂの各々が、位相進行の角度方向で多相信号によって変調され、ここで、２つのサーキュレータ２２０ａ、２２０ｂは、同じ角度方向であるが１８０度位相ずれを有する。
【００３８】
多相信号の異なる例がある。多相信号の一例は、多相正弦波信号である。さらに、多相信号は、３相信号であり得る。したがって、多相信号は、３相正弦波信号であり得る。
【００３９】
多相信号の別の例は、４相信号である。４つのスイッチを制御するために４相信号が使用され得る。より詳細には、周期の第１の１／４において、第１のスイッチのみがオンにされる。次いで、周期の第２の１／４において、第２のスイッチのみがオンにされる。その後、周期の第３の１／４において、第３のスイッチのみがオンにされる。最後に、周期の第４の１／４において、第４のスイッチのみがオンにされる、などである。
【００４０】
たとえば、図２ａ、図２ｂ、図２ｃ、および図２ｄに概略的に例示された、各サーキュレータ２２０ａ、２２０ｂは、１２０度間隔で３相信号によって変調される３つのセグメントを有する。特定の時点において、一方のサーキュレータ２２０ａ中のセグメントが、漸進的位相０度、１２０度および−１２０度での変調を有する場合、他方のサーキュレータ２２０ｂ中の対応するセグメントは、それぞれ、漸進的位相１８０度、−６０度および６０度での変調を有する。このように、サーキュレータ機能は維持されるが、ポート２４０ａ、２４０ｂ、２４０ｃ、２４０ｄにおいて供給される信号とローカル多相信号との間の相互変調は、消去される。その結果、本明細書の開示されるサーキュレータデバイス２００ａ、２００ｂ、２００ｃ、２００ｄは、以前に提案された無磁石サーキュレータの固有挿入損失を著しく緩和するが、依然として、コンパクトさ、低コストおよびＩＣ適合性など、それらの利点を継承する。
【００４１】
いくつかの態様によれば、ポート２４０ａ、２４０ｂ、２４０ｃ、２４０ｄは、（図２ｂ、図２ｃ、および図２ｄの場合のように）トランスフォーマバラン２３０ａ、２３０ｂ、２３０ｃ、２３０ｄを介して２つのサーキュレータ２２０ａ、２２０ｂの両方に結合される。したがって、一実施形態によれば、サーキュレータデバイス２００ｂ、２００ｃ、２００ｄ、２００ｅはさらに、トランスフォーマバラン２３０ａ、２３０ｂ、２３０ｃ、２３０ｄを備える。各トランスフォーマバラン２３０ａ、２３０ｂ、２３０ｃ、２３０ｄは、次いで、ポート２４０ａ、２４０ｂ、２４０ｃ、２４０ｄのうちの１つを２つのサーキュレータ２２０ａ、２２０ｂの両方に結合するように構成され得る。このようにして、２つのサーキュレータ２２０ａ、２２０ｂの各々は、ポート２４０ａ、２４０ｂ、２４０ｃ、２４０ｄのすべてに結合される。たとえば、ポート２４０ａ、２４０ｂ、２４０ｃ、２４０ｄにおいて供給された信号と（サーキュレータ２２０ａ、２２０ｂにおける）多相ローカル信号の両方が、２つのサーキュレータ２２０ａ、２２０ｂにおいて逆位相である場合、それらの相互変調は、同相であることになる。コモンモード相互変調積は、トランスフォーマバラン２３０ａ、２３０ｂ、２３０ｃ、２３０ｄを介して差動モード負荷に流れ込むことができないので、相互変調周波数における電力損失は、緩和される。結果として、本明細書の開示されるサーキュレータデバイス２００ａ、２００ｂ、２００ｃ、２００ｄ、２００ｅは、以前に提案された無磁石サーキュレータの挿入損失を大幅に改善する。
【００４２】
ポート２４０ａ、２４０ｂ、２４０ｃ、２４０ｄは、循環方向と同じ順序でトランスフォーマバラン２３０ａ、２３０ｂ、２３０ｃ、２３０ｄによって結合され得る。このように、任意のポート２４０ａ、２４０ｂ、２４０ｃ、２４０ｄから来る信号は、トランスフォーマバラン２３０ａ、２３０ｂ、２３０ｃによって、同じ大きさであるが０度または１８０度位相ずれをもつ、信号の平衡ペアに分割される。したがって一実施形態によれば、トランスフォーマバラン２３０ａ、２３０ｂ、２３０ｃ、２３０ｄのうちの１つは、自身のポートから受信された信号を第１の信号と第２の信号とに分割するように構成され、ここで、第１の信号と第２の信号とは、同じ大きさを有し、０度または１８０度だけ位相が相互にずれている。たとえば、図２ｂ、図２ｃ、図２ｄの例示的な例では、トランスフォーマバラン２３０ａは、ポート２４０ａから受信された信号Ｓｉｎを第１の信号Ｓ１と第２の信号Ｓ２とに分割するように構成され、ここで、第１の信号Ｓ１と第２の信号Ｓ２とは、同じ大きさを有し、０度または１８０度だけ位相が相互にずれている。
【００４３】
次いで、平衡ペアからの２つの信号Ｓ１、Ｓ２は、０度または１８０度位相差が、循環経路中のどこでも維持されるように、それらの対応するサーキュレータ２２０ａ、２２０ｂ中を同じ循環方向に伝搬し得る。したがって、一実施形態によれば、２つのサーキュレータ２２０ａ、２２０ｂのうちの一方は、第１の信号Ｓ１を伝搬するように構成され、２つのサーキュレータ２２０ａ、２２０ｂのうちの他方は、第２の信号Ｓ２を伝搬するように構成される。たとえば、図２ａ、図２ｂ、図２ｃ、図２ｄの例示的な例では、サーキュレータ２２０ａは、第１の信号Ｓ１を伝搬するように構成され、サーキュレータ２２０ｂは、第２の信号Ｓ２を伝搬するように構成される。第１の信号Ｓ１と第２の信号Ｓ２とは、第１の信号Ｓ１と第２の信号Ｓ２とが、位相が０度または１８０度だけ相互にずれた状態を維持するために、同じ角度方向で２つのサーキュレータ２２０ａ、２２０ｂを介して伝搬される。
【００４４】
２つの信号Ｓ１、Ｓ２が、循環方向でそれらの次のポート２４０ａ、２４０ｂ、２４０ｃに達したとき、２つの信号Ｓ１、Ｓ２は、別のトランスフォーマバランによって合成されて、シングルエンド出力信号Ｓｏｕｔを形成する。このようにして、サーキュレータ機能は維持される。したがって、一実施形態によれば、（図２ｂ、図２ｃ、図２ｄの例示的な例では、トランスフォーマバラン２３０ｂによって表される）トランスフォーマバラン２３０ａ、２３０ｂ、２３０ｃ、２３０ｄのうちの別の１つが、（図２ｂ、図２ｃ、図２ｄの例示的な例では、サーキュレータ２２０ａによって表される）２つのサーキュレータ２２０ａ、２２０ｂのうちの一方から受信された第１の信号Ｓ１を、（図２ｂ、図２ｃ、図２ｄの例示的な例では、サーキュレータ２２０ｂによって表される）２つのサーキュレータ２２０ａ、２２０ｂのうちの他方から受信された第２の信号Ｓ２と合成して、合成信号Ｓｏｕｔにすることと、合成信号Ｓｏｕｔを（図２ｂ、図２ｃ、図２ｄの例示的な例では、ポート２４０ｂによって表される）自身のポートに供給することとを行うように構成される。
【００４５】
図２ｂ、図２ｃ、および図２ｄの例示的な例は、サーキュレータ出力上の信号Ｓ１と信号Ｓ２とが反対位相を有し、望ましくない相互変調積が同じ位相を有する、実施形態を開示する。本明細書で開示される実施形態はまた、望ましい信号Ｓ１と信号Ｓ２とが、代わりに、同じ位相のものであり、サーキュレータ出力上の望ましくない相互変調積が反対位相のものである、サーキュレータデバイス２００ａ、２００ｂ、２００ｃ、２００ｄの構築を包含する。これらの構築は、出力ポートにおいて望ましい信号成分のみを依然として生成することになる、代替トランスフォーマバラン構築を必要とすることになる。
【００４６】
さらに、トランスフォーマバラン２３０ａ、２３０ｂ、２３０ｃ、２３０ｄが、例示および理解しやすいように、（図２ｂ、図２ｃ、図２ｄの場合のように）例示的な実施形態のいくつかにおいて採用される。実際には、トランスフォーマバラン２３０ａ、２３０ｂ、２３０ｃ、２３０ｄは、本明細書で開示されるサーキュレータデバイス２００ａ、２００ｂ、２００ｃ、２００ｄ、２００ｅの機能および性能のために必要でない。詳細には、（図２ａの場合のように）一実施形態によれば、サーキュレータ２２０ａおよび２２０ｂのポートは、サーキュレータデバイス２００ａ、２００ｂ、２００ｃ、２００ｄ、２００ｅの（外部）ポート２４０ａ、２４０ｂ、２４０ｃ、２４０ｄに、直接結合され得る。そのような実施形態では、サーキュレータ２２０ａとサーキュレータ２２０ｂとは相互作用することができる。しかし、それらの組合せは、依然として、本明細書で開示されるサーキュレータ機能と相互変調電力の消去とをもたらす。
【００４７】
２つのサーキュレータ２２０ａ、２２０ｂは、サーキュレータモジュール２１０ａ、２１０ｂ、２１０ｃ、２１０ｄを形成することができる。そのようなサーキュレータモジュール２１０ａ、２１０ｂ、２１０ｃ、２１０ｄは、トランスフォーマバラン２３０ａ、２３０ｂ、２３０ｃ、２３０ｄを備えることもできる。図２ｅは、少なくとも２つのデイジーチェーン接続されたサーキュレータモジュール２１０ａ、２１０ｂ、２１０ｃ、２１０ｄを備えるサーキュレータデバイス２００ｅの実施形態を例示する。
【００４８】
大まかに言えば、２つのサーキュレータ２２０ａ、２２０ｂは、電子的構成要素を備える。２つのサーキュレータ２２０ａ、２２０ｂ中の電子的構成要素を構成するための異なるやり方があり得る。第１の実施形態によれば、２つのサーキュレータ２２０ａ、２２０ｂのうちの少なくとも１つの電子的構成要素は、スタートポロジーで構成される。図３ａは、２つのサーキュレータ２２０ａ、２２０ｂの両方の電子的構成要素がスタートポロジーで構成される、サーキュレータデバイスの一実施形態を概略的に例示する。スタートポロジーは、Ｙトポロジーとしても知られている。図３ａに示されているように、２つのサーキュレータ２２０ａ、２２０ｂの各々は、スタートポロジーで結合された３つの直列インダクタ−キャパシタ（ＬＣ）共振器によって実装される。第２の実施形態によれば、２つのサーキュレータ２２０ａ、２２０ｂのうちの少なくとも一方の電子的構成要素は、リングトポロジーで構成される。リングトポロジーは、△トポロジーとしても知られている。図３ｂは、２つのサーキュレータ２２０ａ、２２０ｂの両方の電子的構成要素がリングトポロジーで構成される、サーキュレータデバイスの一実施形態を概略的に例示する。図３ｂに示されているように、２つのサーキュレータ２２０ａ、２２０ｂの各々は、リングトポロジーで結合された３つの直列インダクタ−キャパシタ（ＬＣ）共振器によって実装される。例示されていないが、サーキュレータのうちの一方２２０ａは、電子的構成要素をスタートポロジーで有することができ、２つのサーキュレータのうちの他方２２０ｂは、電子的構成要素をリングトポロジーで有することができる。さらに、図３ｃは、２つのサーキュレータ２２０ａ、２２０ｂの両方の電子的構成要素が、スタートポロジーで、および上述の代替トランスフォーマバラン構築を用いて構成される、サーキュレータデバイスの一実施形態を概略的に例示する。
【００４９】
２つのサーキュレータ２２０ａ、２２０ｂ中に構成された、異なる種類の電子的構成要素があり得る。構成要素となる回路要素（共振器、トランスフォーマバラン）は、集中構成要素、送信線路またはキャビティから作られ得る。一実施形態によれば、２つのサーキュレータ２２０ａ、２２０ｂの各々は、アクティブ電子的構成要素を備える。本明細書では、電子デバイスが、任意の周波数において、前記周波数における入力電力よりも大きい出力電力を生成することが可能である場合に、電子デバイスはアクティブとして規定される。アクティブ電子的構成要素の異なる例がある。アクティブ電子的構成要素の１つの非限定的な例は、可変容量ダイオードである。
【００５０】
したがって、２つのサーキュレータ２２０ａ、２２０ｂの各々は、可変容量ダイオードを備えることができる。可変キャパシタは、バラクタとしても知られている。したがって、２つのサーキュレータ２２０ａ、２２０ｂの各々は、微小電子機械システム（ＭＥＭＳ）バラクタを備えることができる。さらに、パッシブキャパシタが、キャパシタを可変にするためにスイッチによって周期的に接続および切断され得る。したがって、一実施形態によれば、２つのサーキュレータ２２０ａ、２２０ｂの各々は、スイッチを備える。スイッチは、ＣＭＯＳトランジスタから作られ得る。
【００５１】
本明細書の開示されるサーキュレータデバイス２００ａ、２００ｂ、２００ｃ、２００ｄ、２００ｅのいずれも、アイソレータデバイスの一部であり得る。図４ａおよび図４ｂは、実施形態によるアイソレータデバイス４００ａ、４００ｂの概略図である。アイソレータデバイス４００ａ、４００ｂは、本明細書で開示される実施形態のいずれかによる、サーキュレータデバイス２００ａ、２００ｂ、２００ｃ、２００ｄ、２００ｅを備える。アイソレータデバイス４００ａ、４００ｂでは、２つのサーキュレータ２２０ａ、２２０ｂが、サーキュレータモジュール２１０ａ、２１０ｂ、２１０ｃ、２１０ｄを形成し、サーキュレータデバイスのポートのうちの１つが、整合された終端インピーダンス４１０を介して終端される。図４ａは、単一のサーキュレータモジュール２１０ａ、２１０ｂ、２１０ｃ、２１０ｄをもつアイソレータデバイス４００ａの一例である。図４ｂは、複数のカスケード接続されたサーキュレータモジュール２１０ａ、２１０ｂ、２１０ｃ、２１０ｄをもつアイソレータデバイス４００ｂの一例である。したがって、一実施形態によれば、アイソレータデバイス４００ｂは、少なくとも２つのカスケード接続されたサーキュレータモジュール２１０ａ、２１０ｂ、２１０ｃ、２１０ｄを備える。
【００５２】
上記で開示されたように、サーキュレータデバイス２００ａ、２００ｂ、２００ｃ、２００ｄ、２００ｅまたはアイソレータデバイス４００ａ、４００ｂは、無線トランシーバデバイス１００ａ、１００ｂの一部であり得る。したがって、無線トランシーバデバイス１００ａ、１００ｂは、少なくとも１つの本明細書で開示されるサーキュレータデバイス２００ａ、２００ｂ、２００ｃ、２００ｄ、２００ｅ、または少なくとも１つの本明細書で開示されるアイソレータデバイス４００ａ、４００ｂを備えることができる。
【００５３】
動作の上述の原理を確認するために、サーキュレータ２２０ａ、２００ｂの構成要素を図３ａの場合のようにスタートポロジーでもつ、図２ｂの特定の実施形態。各キャパシタは、逆にバイアスされたダイオードによって規定され、ローカル発振（この特定の実施形態では、２４０ＭＨｚ）によって変調される。一方のサーキュレータ２２０ａにおける３つのバラクタは、位相０度、１２０度および−１２０度でローカル発振によって変調されるが、他方のサーキュレータ２２０ｂにおける対応するバラクタは、それぞれ、位相１８０度、−６０度および６０度で同じローカル発振によって変調される。３つのポート２４０ａ、２４０ｂ、２４０ｃにおいて、差動ＲＦ信号が、トランスフォーマバラン２３０ａ、２３０ｂ、２３０ｃによってシングルエンドソースおよび負荷に結合されるが、コモンモード相互変調積は、トランスフォーマバランの中央タップにおける短絡回路によって終端される。
【００５４】
図５ａ、図５ｂ、および図５ｃは、実施形態によるシミュレーション結果を例示する。図５ａ、図５ｂ、図５ｃ中のシミュレーション結果は、（サーキュレータデバイス２００ｂの場合のように）トランスフォーマバラン２３０ａ、２３０ｂ、２３０ｃを備えるサーキュレータデバイス２００ｂ、２００ｃ、２００ｄについて与えられ、図６ａ、図６ｂ、図６ｃにおけるシミュレーション結果は、（サーキュレータデバイス２００ａの場合のように）トランスフォーマバランを備えないサーキュレータデバイスについて与えられる。
【００５５】
３つのポート２４０ａ、２４０ｂ、２４０ｃにおけるＲＦソースが、連続的にアクティブ化され、ハーモニックバランスシミュレーション結果が、それぞれ、図５ａ、図５ｂ、および図５ｃ中にプロットされる。図５ａ、図５ｂ、および図５ｃにおいて、ｘ、ｙ＝１、２または３である、記法「Ｓｘｙ」は、ポートｙからポートｘへの転送を示す。これらの図からわかるように、時計回りの転送Ｓ２１、Ｓ３２、Ｓ１３、すなわち、ポート２４０ａからポート２４０ｂまでと、ポート２４０ｂからポート２４０ｃまでと、ポート２４０ｃからポート２４０ａまでとは、ほとんど０ｄＢの大きさを有し、極めて低い挿入損失を示す。さらに、反時計回りの転送Ｓ２３、Ｓ１２、Ｓ３１、すなわち、ポート２４０ｃからポート２４０ｂまでと、ポート２４０ｂからポート２４０ａまでと、ポート２４０ａからポート２４０ｃまでとは、中心周波数の３．５ＧＨｚにおいて−４０ｄＢ未満であり、適切なアイソレーションを示す。反射項Ｓ１１、Ｓ２２、Ｓ３３、すなわち、ポート２４０ａからポート２４０ａまでと、ポート２４０ｂからポート２４０ｂまでと、ポート２４０ｃからポート２４０ｃまでとも、−４０ｄＢ未満であり、良好なポート整合を示す。これらのシミュレーション結果からわかるように、提案される技法は、動作周波数において理想的なサーキュレータの理論的な性能を有する。
【００５６】
要約すると、「Ｍａｇｎｅｔｌｅｓｓ  Ｍｉｃｒｏｗａｖｅ  Ｃｉｒｃｕｌａｔｏｒｓ  Ｂａｓｅｄ  ｏｎ  Ｓｐａｔｉｏｔｅｍｐｏｒａｌｌｙ  Ｍｏｄｕｌａｔｅｄ  Ｒｉｎｇｓ  ｏｆ  Ｃｏｕｐｌｅｄ  Ｒｅｓｏｎａｔｏｒｓ」および「Ｍａｇｎｅｔｉｃ−ｆｒｅｅ  ｎｏｎ−ｒｅｃｉｐｒｏｃｉｔｙ  ｂａｓｅｄ  ｏｎ  ｓｔａｇｇｅｒｅｄ  ｃｏｍｍｕｔａｔｉｏｎ」と題された前に言及された論文において以前に提案された無磁石サーキュレータの時間変動による固有挿入損失は、本明細書で開示されたサーキュレータデバイス２００ａ、２００ｂ、２００ｃ、２００ｄ、２００ｅによって、ほとんど完全に除去される。
【００５７】
本発明の概念が、主に数個の実施形態を参照しながら上記で説明された。しかしながら、当業者によって直ちに認識されるように、上記で開示された実施形態以外の実施形態も、添付の特許請求の範囲によって規定される本発明の概念の範囲内で等しく可能である。
【図１ａ】
2019515542.tif 000003
【図１ｂ】
2019515542.tif 000004
【図２ａ】
2019515542.tif 000005
【図２ｂ】
2019515542.tif 000006
【図２ｃ】
2019515542.tif 000007
【図２ｄ】
2019515542.tif 000008
【図２ｅ】
2019515542.tif 000009
【図３ａ】
2019515542.tif 000010
【図３ｂ】
2019515542.tif 000011
【図３ｃ】
2019515542.tif 000012
【図４ａ】
2019515542.tif 000013
【図４ｂ】
2019515542.tif 000014
【図５ａ】
2019515542.tif 000015
【図５ｂ】
2019515542.tif 000016
【図５ｃ】
2019515542.tif 000017
【図６ａ】
2019515542.tif 000018
【図６ｂ】
2019515542.tif 000019
【図６ｃ】
2019515542.tif 000020
【国際調査報告】
2019515542.tif 000021
2019515542.tif 000022
2019515542.tif 000023
2019515542.tif 000024
2019515542.tif 000025
2019515542.tif 000026
2019515542.tif 000027